(57)【要約】【課題】簡易な構成により、フリーズ状態になった電源制御回路を再起動可能な電源装置を提供すること。【解決手段】一次電源回路５１は、入力される出力制御信号Ｓｇ３がアクティブであるときに第１直流電力ＶＤ１１を出力し、前記出力制御信号Ｓｇ３がネガティブであるときに前記第１直流電力ＶＤ１１の出力を遮断し、さらに常に第２直流電力ＶＤ１２を出力する。電源制御回路５３は、前記第１直流電力ＶＤ１１が供給され、手動スイッチ８ｃの操作状態の変化に応じて複数の二次電源回路５２の動作状態を制御する。スイッチ中継回路６は、前記第２直流電力ＶＤ１２が供給され、前記手動スイッチ８ｃが操作されていないときにアクティブな前記出力制御信号Ｓｇ３を出力し、前記手動スイッチ８ｃが操作されている状態が予め定められた長押し時間以上継続しているときにネガティブな前記出力制御信号Ｓｇ３を出力する。【選択図】図２
2019109625.tif 000002
【特許請求の範囲】
【請求項１】
入力される出力制御信号がアクティブであるときに第１直流電力を出力し、前記出力制御信号がネガティブであるときに前記第１直流電力の出力を遮断し、さらに常に第２直流電力を出力する一次電源回路と、
前記第１直流電力が供給され、複数の負荷へ電力を供給する複数の二次電源回路と、
前記第１直流電力が供給され、手動スイッチの操作状態の変化に応じて前記複数の二次電源回路の動作状態を制御する電源制御回路と、
前記第２直流電力が供給され、前記手動スイッチが操作されていないときにアクティブな前記出力制御信号を前記一次電源回路へ出力し、前記手動スイッチが操作されている状態が予め定められた長押し時間以上継続しているときにネガティブな前記出力制御信号を前記一次電源回路へ出力するスイッチ中継回路と、を備える電源装置。
【請求項２】
前記複数の負荷の１つが、前記電源制御回路へ電源制御信号を出力するプロセッサーであり、
前記電源制御回路は、前記手動スイッチの操作状態の変化および前記電源制御信号の内容に応じて前記複数の二次電源回路の動作状態を制御する、請求項１に記載の電源装置。
【請求項３】
前記スイッチ中継回路は、
前記第２直流電力の給電ラインおよび前記手動スイッチと電気的に接続されたコンデンサーと、
前記コンデンサーの端子電圧と前記第２直流電力に基づく参照電圧とを比較し、比較結果を前記出力制御信号として出力するコンパレーターと、を含み、
前記コンデンサーは、前記手動スイッチが操作されていないときに前記第２直流電力によって蓄電され、前記手動スイッチが操作されているときに前記手動スイッチを通じて放電し、
前記コンパレーターは、前記コンデンサーの端子電圧が前記参照電圧よりも高いときにアクティブな前記出力制御信号を出力し、前記コンデンサーの端子電圧が前記参照電圧よりも低いときにネガティブな前記出力制御信号を出力する、請求項１または請求項２に記載の電源装置。
【請求項４】
請求項１から請求項３のいずれか１項に記載の電源装置と、
前記手動スイッチと、
シートに画像を形成する印刷処理装置と、を備える画像形成装置。
【請求項５】
前記複数の二次電源回路が、予め定められた非起動状態から前記非起動状態よりも消費電力の大きな起動状態へ移行したときに、前記起動状態への移行を通知する起動通知装置をさらに備え、
前記長押し時間は、前記手動スイッチの操作が開始してから前記起動通知装置が通知するまでの時間よりも長い時間である、請求項４に記載の画像形成装置。
【発明の詳細な説明】
【技術分野】
【０００１】
本発明は、電源制御回路を再起動可能な電源装置およびそれを備える画像形成装置に関する。
【背景技術】
【０００２】
一般に、画像形成装置が備える電源装置は、電源制御回路を含む。前記電源制御回路は、手動スイッチの操作状態の変化およびプロセッサーから出力される制御信号などに応じて、複数の電源回路の動作状態を制御する。前記電源制御回路は、例えばＰＭＩＣ（Power Management Integrated Circuit）などによって実現される。
【０００３】
例えば、前記電源制御回路が、レジスタに保持されたデジタル値に従って、前記複数の電源の起動シーケンスまたは遮断シーケンスを設定することが知られている（例えば、特許文献１参照）。
【先行技術文献】
【特許文献】
【０００４】
【特許文献１】特開２０１３−８９０６０号公報
【発明の概要】
【発明が解決しようとする課題】
【０００５】
ところで、前記電源制御回路が、何らかの原因によってフリーズ状態になることがある。一般に、前記電源制御回路は、再起動することによって前記フリーズ状態から復旧することが多い。
【０００６】
本発明の目的は、簡易な構成により、フリーズ状態になった電源制御回路を再起動可能な電源装置およびそれを備える画像形成装置を提供することにある。
【課題を解決するための手段】
【０００７】
本発明の一の局面に係る電源装置は、一次電源回路と、複数の二次電源回路と、電源制御回路と、スイッチ中継回路と、を備える。前記一次電源回路は、入力される出力制御信号がアクティブであるときに第１直流電力を出力し、前記出力制御信号がネガティブであるときに前記第１直流電力の出力を遮断し、さらに常に第２直流電力を出力する。前記複数の二次電源回路は、前記第１直流電力が供給され、複数の負荷へ電力を供給する。前記電源制御回路は、前記第１直流電力が供給され、手動スイッチの操作状態の変化に応じて前記複数の二次電源回路の動作状態を制御する。前記スイッチ中継回路は、前記第２直流電力が供給され、前記手動スイッチが操作されていないときにアクティブな前記出力制御信号を前記一次電源回路へ出力し、前記手動スイッチが操作されている状態が予め定められた長押し時間以上継続しているときにネガティブな前記出力制御信号を前記一次電源回路へ出力する。
【０００８】
本発明の他の局面に係る画像形成装置は、前記電源装置と、前記手動スイッチと、印刷処理装置と、を備える。前記印刷処理装置は、シートに画像を形成する。
【発明の効果】
【０００９】
本発明によれば、簡易な構成により、フリーズ状態になった電源制御回路を再起動可能な電源装置およびそれを備える画像形成装置を提供することが可能になる。
【図面の簡単な説明】
【００１０】
【図１】図１は、実施形態に係る電源装置を備える画像形成装置の構成図である。
【図２】図２は、実施形態に係る電源装置のブロック図である。
【図３】図３は、実施形態に係る電源装置が備えるスイッチ入力回路を表す図である。
【図４】図４は、実施形態に係る電源装置が備えるスイッチ中継回路を表す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［画像形成装置１０の構成］
実施形態に係る電源装置５は、画像形成装置１０の一部である。図１に示される画像形成装置１０は、電子写真方式で印刷処理を実行する印刷処理装置４を備える。
【００１３】
前記印刷処理は、シート９に画像を形成する処理である。シート９は、用紙または樹脂フィルムなどのシート状の画像形成媒体である。
【００１４】
図１に示されるように、画像形成装置１０は、本体１００内に配置されたシート搬送機構３、印刷処理装置４、電源装置５、操作装置８ａ、表示装置８ｂおよび電源スイッチ８ｃなどを備える。
【００１５】
操作装置８ａおよび表示装置８ｂは、ユーザーインターフェイスデバイスである。操作装置８ａは、ユーザーの操作を受け付ける装置であり、例えば操作ボタンまたはタッチパネル装置などを含む。表示装置８ｂは、情報を表示する装置であり、例えば液晶パネルユニットなどを含む。
【００１６】
電源スイッチ８ｃは、ユーザーによる操作に応じてＯＮ状態およびＯＦＦ状態の一方から他方へ切り替わる手動スイッチである。電源スイッチ８ｃは、自動復帰接点である。
【００１７】
本実施形態において、電源スイッチ８ｃは、操作されていないときにＯＦＦ状態であり、操作されているときにＯＮ状態である。電源スイッチ８ｃは、操作が解除されると、前記ＯＮ状態から前記ＯＦＦ状態へ復帰する。
【００１８】
シート搬送機構３において、シート送出機構３０が、シート収容部１０１に収容されたシート９を、シート搬送路３００へ送り出し、複数組の搬送ローラー対３１が、シート９をシート搬送路３００に沿って搬送する。
【００１９】
印刷処理装置４は、光走査ユニット４０、感光体４１、帯電装置４２、現像装置４３、トナー補給ユニット４４、転写装置４５、クリーニング装置４６、定着装置４７およびモーター４００などを備える印刷処理装置である。
【００２０】
ドラム状の感光体４１が回転し、帯電装置４２が感光体４１の表面を帯電させる。光走査ユニット４０が、帯電した感光体４１の表面にビーム光を走査することにより、感光体４１の表面に静電潜像を書き込む。
【００２１】
現像装置４３は、感光体４１の表面にトナー９０を供給することにより、前記静電潜像をトナー像へ現像する。転写装置４５は、感光体４１の表面の前記トナー像を、シート搬送路３００を移動中のシート９に転写する。
【００２２】
定着装置４７は、シート９に転写された前記トナー像を加熱することにより、前記トナー像をシート９に定着させる。
【００２３】
クリーニング装置４６は、感光体４１の表面に残存するトナー９０を除去する。トナー補給ユニット４４は、未使用のトナー９０を現像装置４３へ補給する。
【００２４】
モーター４００は、シート搬送機構３、現像装置４３、転写装置４５および定着装置４７などが備える回転体および感光体４１を駆動する。
【００２５】
電源装置５は、外部電源１０００から供給される交流の入力電圧Ｖａ０を直流の出力電圧ＶＤ２へ変換する直流電源装置である。出力電圧ＶＤ２は、複数の負荷へ供給される。外部電源１０００は、例えば商用電源である。
【００２６】
［電源装置５の概要］
図２に示されるように、電源装置５は、一次電源回路５１と、複数の二次電源回路５２と、ＰＭＩＣ５３と、スイッチ入力回路５４と、を備える。さらに、電源装置５は、ＣＰＵ(Central Processing Unit)５５と、ＲＡＭ(Random Access Memory)５６と、二次記憶装置５７と、を備える。
【００２７】
図２に示される例において、一次電源回路５１は、電源基板５ａに実装されている。一方、複数の二次電源回路５２、ＰＭＩＣ５３、スイッチ入力回路５４、ＣＰＵ５５と、ＲＡＭ５６および二次記憶装置５７は、電源基板５ａとは異なる制御基板５ｂに実装されている。
【００２８】
一次電源回路５１は、直流電力を出力する回路である。例えば、一次電源回路５１が、入力電圧Ｖａ０を直流の中間電圧ＶＤ１１，ＶＤ１２へ変換するスイッチング電源回路を含むことが考えられる。
【００２９】
本実施形態において、一次電源回路５１は、直流の第１中間電圧ＶＤ１１を第１給電ラインＬ１へ出力し、直流の第２中間電圧ＶＤ１２を第２給電ラインＬ２へ出力する。第１中間電圧ＶＤ１１および第２中間電圧ＶＤ１２の違いについては後述する。
【００３０】
なお、第１中間電圧ＶＤ１１は、複数の二次電源回路５２およびＰＭＩＣ５３に印加される。第１中間電圧ＶＤ１１によって複数の二次電源回路５２およびＰＭＩＣ５３に供給される電力が第１直流電力の一例である。
【００３１】
複数の二次電源回路５２は、第１中間電圧ＶＤ１１が供給されることにより、それぞれ直流の出力電圧ＶＤ２を出力する。複数の二次電源回路５２は、それぞれ独立して接続された複数の第３給電ラインＬ３に接続されている。
【００３２】
複数の第３給電ラインＬ３は、それぞれ異なる負荷に接続されている。複数の二次電源回路５２は、複数の第３給電ラインＬ３に出力電圧ＶＤ２を出力する。これにより、複数の二次電源回路５２は複数の負荷へ電力を供給する。
【００３３】
ＰＭＩＣ５３は、第１中間電圧ＶＤ１１が供給されることによって動作する。ＰＭＩＣ５３は、電源スイッチ８ｃの操作状態の変化に応じて複数の二次電源回路５２の動作状態を制御する。ＰＭＩＣ５３は、電源制御回路の一例である。
【００３４】
本実施形態において、ＰＭＩＣ５３は、スイッチ入力回路５４を通じて電源スイッチ８ｃの操作状態を表す手動スイッチ信号Ｓｇ１を入力する。
【００３５】
電源スイッチ８ｃは、接地ラインとスイッチ信号ラインＬ０とに接続されている。スイッチ信号ラインＬ０は、抵抗素子Ｒ０を介して第２中間電圧ＶＤ１２の給電ラインに接続されている。抵抗素子Ｒ０は、いわゆるプルアップ抵抗である。
【００３６】
スイッチ入力回路５４は、スイッチ信号ラインＬ０を通じて電源スイッチ８ｃと接続されている。電源スイッチ８ｃがＯＮ状態になると、スイッチ信号ラインＬ０と前記接地ラインとが短絡する。
【００３７】
図３に示される例では、スイッチ入力回路５４は、抵抗素子Ｒ１およびトランジスタＴＲ０を含む周知のスイッチ回路である。スイッチ入力回路５４は、電源スイッチ８ｃが操作されているときにアクティブな手動スイッチ信号Ｓｇ１を出力し、電源スイッチ８ｃが操作されてないときにネガティブな手動スイッチ信号Ｓｇ１を出力する。
【００３８】
本実施形態において、ＰＭＩＣ５３は、複数の二次電源回路５２の状態を起動状態、待機状態および停止状態の３つの動作状態に制御する。
【００３９】
前記起動状態は、前記３つの動作状態のうち最も多くの二次電源回路５２が作動している状態である。複数の二次電源回路５２が前記起動状態であるとき、ＣＰＵ５５が通常モードで動作しており、画像形成装置１０は画像形成に関する全てのジョブを実行可能である。
【００４０】
前記待機状態は、前記起動状態よりも作動中の二次電源回路５２が少ない状態であり、前記起動状態よりも消費電力が低い状態である。複数の二次電源回路５２が前記待機状態であるとき、ＣＰＵ５５は、前記通常モードよりも消費電力の低い省電力モードで作動さいている。
【００４１】
前記停止状態は、前記待機状態よりも作動中の二次電源回路５２が少ない状態であり、前記待機状態よりも消費電力が低い状態である。複数の二次電源回路５２が前記停止状態であるとき、ＣＰＵ５５は停止している。
【００４２】
従って、複数の二次電源回路５２が前記停止状態であるとき、ＰＭＩＣ５３は、電源スイッチ８ｃの操作状態が変化した場合にのみ、複数の二次電源回路５２の動作状態を他の状態へ移行させる。
【００４３】
ＣＰＵ５５は、前記複数の負荷のうちの１つである。即ち、ＣＰＵ５５は、複数の二次電源回路５２の１つから複数の第３給電ラインＬ３の１つを通じて出力電圧ＶＤ２が供給される。また、操作装置８ａおよび表示装置８ｂも、前記複数の負荷の一部である。
【００４４】
ＣＰＵ５５は、予め二次記憶装置５７に記憶されたプログラムを実行することにより、各種のデータ処理を実行し、さらに、ＰＭＩＣ５３を含む複数の機器を制御する。
【００４５】
例えば、ＣＰＵ５５は、印刷処理装置４が備える不図示のモーターを制御する。即ち、印刷処理装置４は、ＣＰＵ５５によって制御される。さらに、ＣＰＵ５５は、ＰＭＩＣ５３へ電源制御信号Ｓｇ０を出力する。
【００４６】
また、複数の二次電源回路５２が前記停止状態または前記待機状態から前記起動状態へ移行したときに、ＣＰＵ５５は、起動通知処理を実行する。
【００４７】
ＣＰＵ５５は、複数の二次電源回路５２が前記停止状態または前記待機状態から前記起動状態へ移行したときに自らが起動する。そのため、ＣＰＵ５５が、二次電源回路５２からの通電開始により起動したときに、前記起動通知処理を実行することが考えられる。
【００４８】
例えば、前記起動通知処理が、初期画面起動処理および電源ランプ点灯処理の一方または両方を含むことが考えられる。前記初期画面起動処理は、表示装置８ｂを無表示状態から予め定められた初期画面を表示する状態へ切り替える処理である。前記電源ランプ点灯処理は、表示装置８ｂが備える電源ランプを消灯状態から点灯状態へ切り替える処理である。
【００４９】
なお、前記初期画面起動処理および前記電源ランプ点灯処理の各々は、前記起動状態への移行を通知する処理の一例である。また、前記停止状態および前記待機状態は、予め定められた非起動状態の一例である。また、前記起動通知処理を実行するＣＰＵ５５および表示装置８ｂは、起動通知装置の一例である。
【００５０】
なお、ＣＰＵ５５の代わりに、ＤＳＰ（Digital Signal Processor）などの他のプロセッサーが採用されることも考えられる。
【００５１】
ＲＡＭ５６は、ＣＰＵ５５が実行するプログラムまたはＣＰＵ５５がアクセスするデータなどが一次記憶される揮発性の記憶装置である。ＲＡＭ５６は、いわゆる主記憶装置である。
【００５２】
二次記憶装置５７は、コンピューター読み取り可能な不揮発性の記憶装置である。例えば、二次記憶装置５７がフラッシュメモリーまたはＲＯＭ（Read Only Memory）などであることが考えられる。二次記憶装置５７は、ＣＰＵ５５によって実行されるプログラムを予め記憶している。
【００５３】
複数の二次電源回路５２が前記待機状態であるとき、不図示の通信装置が他装置から印刷ジョブを受信することが考えられる。この場合、ＣＰＵ５５は、自らが前記省電力モードから前記通常モードへ移行するとともに、前記起動状態への移行を指示する電源制御信号Ｓｇ０を出力する。これにより、複数の二次電源回路５２が前記待機状態から前記起動状態へ移行する。
【００５４】
また、複数の二次電源回路５２が前記停止状態または前記待機状態である場合において、電源スイッチ８ｃの操作状態が変化したとき、ＰＭＩＣ５３は、複数の二次電源回路５２の動作状態を前記起動状態へ移行させる。
【００５５】
なお、手動スイッチ信号Ｓｇ１がネガティブからアクティブへ変化したことが、電源スイッチ８ｃの操作状態が変化したことを示す。
【００５６】
以上に示されるように、ＰＭＩＣ５３は、電源スイッチ８ｃの操作状態の変化および電源制御信号Ｓｇ０の内容に応じて複数の二次電源回路５２の動作状態を制御する。
【００５７】
ところで、ＰＭＩＣ５３が、何らかの原因によってフリーズ状態になることがある。一般に、ＰＭＩＣ５３は、再起動することによって前記フリーズ状態から復旧することが多い。
【００５８】
電源装置５は、簡易な構成により、前記フリーズ状態になったＰＭＩＣ５３を再起動可能な構成を備える。以下、その構成について説明する。
【００５９】
［電源装置５の詳細］
図２に示されるように、電源装置５は、スイッチ中継回路６をさらに備える。スイッチ中継回路６は、電源スイッチ８ｃと一次電源回路５１とに接続されている。即ち、スイッチ中継回路６は、スイッチ入力回路５４とともに、スイッチ信号ラインＬ０通じて電源スイッチ８ｃと接続されている。
【００６０】
スイッチ中継回路６は、第２中間電圧ＶＤ１２が印加されることによって作動する。第２中間電圧ＶＤ１２によってスイッチ中継回路６に供給される電力が第２直流電力の一例である。なお、スイッチ入力回路５４およびスイッチ中継回路６の一方は、スイッチ信号ラインＬ０をプルアップする抵抗素子Ｒ０を含むことが考えられる。
【００６１】
スイッチ中継回路６は、電源スイッチ８ｃが操作されていないときにアクティブな出力制御信号Ｓｇ３を一次電源回路５１へ出力する。さらに、スイッチ中継回路６は、電源スイッチ８ｃが操作されている状態が予め定められた長押し時間以上継続しているときにネガティブな出力制御信号Ｓｇ３を一次電源回路５１へ出力する。
【００６２】
一次電源回路５１は、入力される出力制御信号Ｓｇ３がアクティブであるときに第１中間電圧ＶＤ１１を出力する。一方、一次電源回路５１は、入力される出力制御信号Ｓｇ３がネガティブであるときに第１中間電圧ＶＤ１１の出力を遮断する。
【００６３】
さらに、一次電源回路５１は、第２中間電圧ＶＤ１２を常時出力する。もちろん、一次電源回路５１への電力供給が行われていることが前提である。
【００６４】
具体的には、一次電源回路５１は、出力スイッチ回路５１ａを含む。出力スイッチ回路５１ａは、出力制御信号Ｓｇ３がアクティブであるときに第１中間電圧ＶＤ１１の出力ラインを導通状態にし、出力制御信号Ｓｇ３がネガティブであるときに第１中間電圧ＶＤ１１の出力ラインを遮断する。
【００６５】
［スイッチ中継回路６］
例えば、図４に示されるように、スイッチ中継回路６は、コンデンサーＣ０およびコンパレーターＣＭ０を備える。
【００６６】
コンデンサーＣ０は、第２中間電圧ＶＤ１２の給電ラインおよび電源スイッチ８ｃに繋がるスイッチ信号ラインＬ０と電気的に接続されている。
【００６７】
図４に示される例では、コンデンサーＣ０は、並列接続されたダイオードＤ０および抵抗素子Ｒ２を介してスイッチ信号ラインＬ０と接続されている。
【００６８】
コンパレーターＣＭ０は、コンデンサーＣ０の端子電圧ＶＣ０と参照電圧ＶＤ１２０とを比較し、比較結果を出力制御信号Ｓｇ３として出力する。参照電圧ＶＤ１２０は、第２中間電圧ＶＤ１２に基づいて生成される。図２に示される例では、２つの抵抗素子Ｒ３，Ｒ４を含む分圧回路が、第２中間電圧ＶＤ１２に基づいて参照電圧ＶＤ１２０を生成する。
【００６９】
コンデンサーＣ０は、電源スイッチ８ｃが操作されていないときに前記第２直流電力によって蓄電される。さらに、コンデンサーＣ０は、電源スイッチ８ｃが操作されているときに電源スイッチ８ｃを通じて接地ラインへ放電する。
【００７０】
スイッチ信号ラインＬ０とコンデンサーＣ０との間の抵抗素子Ｒ２は、電源スイッチ８ｃが操作されているときのコンデンサーＣ０の放電速度を抑制する。
【００７１】
コンパレーターＣＭ０は、コンデンサーＣ０の端子電圧ＶＣ０が参照電圧ＶＤ１２０よりも高いときにアクティブな出力制御信号Ｓｇ３を出力する。さらに、コンパレーターＣＭ０は、コンデンサーＣ０の端子電圧ＶＣ０が参照電圧ＶＤ１２０よりも低いときにネガティブな出力制御信号Ｓｇ３を出力する。
【００７２】
また、抵抗素子Ｒ５が、コンパレーターＣＭ０の帰還ラインに設けられている。抵抗素子Ｒ５は、コンパレーターＣＭ０の動作にヒステリシスを付与する。
【００７３】
出力制御信号Ｓｇ３の出力ラインは、抵抗素子Ｒ６を通じて第２中間電圧ＶＤ１２の供給ラインに接続されている。抵抗素子Ｒ６は、いわゆるプルアップ抵抗である。
【００７４】
電源スイッチ８ｃが操作されていない場合、コンデンサーＣ０が蓄電され、コンデンサーＣ０の端子電圧ＶＣ０が、参照電圧ＶＤ１２０を超える。その後、電源スイッチ８ｃが操作されない限り、端子電圧ＶＣ０が参照電圧ＶＤ１２０を超える状態が維持される。
【００７５】
従って、スイッチ中継回路６は、電源スイッチ８ｃが操作されていないときに、アクティブな出力制御信号Ｓｇ３を一次電源回路５１へ出力する。
【００７６】
一方、電源スイッチ８ｃが操作されている場合、コンデンサーＣ０が電源スイッチ８ｃを通じて放電する。そして、コンデンサーＣ０の放電が開始してから予め定められた長押し時間が経過したときに、コンデンサーＣ０の端子電圧ＶＣ０が、参照電圧ＶＤ１２０を下回る。その後、電源スイッチ８ｃが操作されている限り、端子電圧ＶＣ０が参照電圧ＶＤ１２０を下回る状態が維持される。
【００７７】
従って、スイッチ中継回路６は、電源スイッチ８ｃが操作されている状態が前記長押し時間以上継続しているときに、ネガティブな出力制御信号Ｓｇ３を一次電源回路５１へ出力する。
【００７８】
前記長押し時間は、第２抵抗素子Ｒ２およびコンデンサーＣ０を含むＲＣ回路の時定数によって定まる。
【００７９】
そして、ネガティブな出力制御信号Ｓｇ３が出力された後に、再び電源スイッチ８ｃが操作されなくなると、コンデンサーＣ０の端子電圧ＶＣ０が、徐々に増大し、やがて参照電圧ＶＤ１２０を上回る。これにより、スイッチ中継回路６が、再びアクティブな出力制御信号Ｓｇ３を一次電源回路５１へ出力する。
【００８０】
従って、電源スイッチ８ｃが操作されている状態が前記長押し時間以上継続した後、電源スイッチ８ｃが操作されなくなる場合、一次電源回路５１は、ＰＭＩＣ５３および二次電源回路５２への第１中間電圧ＶＤ１１の出力を一時的に遮断する。これにより、ＰＭＩＣ５３が再起動する。
【００８１】
本実施形態において、前記長押し時間は、電源スイッチ８ｃの操作が開始してからＣＰＵ５５による前記起動通知処理が実行されるまでの時間よりも長い時間である。
【００８２】
通常、ユーザーは、画像形成装置１０を起動させるために電源スイッチ８ｃを操作する場合、少なくとも前記初期画面が表示装置８ｂに表示されたとき、または、前記電源ランプが点灯したときに、電源スイッチ８ｃの操作を止める。
【００８３】
従って、ＰＭＩＣ５３が正常に動作している場合、ユーザーは、電源スイッチ８ｃを操作し始めてから前記長押し時間が経過する前に、電源スイッチ８ｃの操作を止める。その結果、第１中間電圧ＶＤ１１の出力は継続され、ＰＭＩＣ５３は再起動しない。
【００８４】
一方、ＰＭＩＣ５３が前記フリーズ状態である場合、ユーザーによって電源スイッチ８ｃが操作されても、複数の二次電源回路５２が前記起動状態へ移行せず、前記初期画面の表示および前記電源ランプの点灯が生じない。この場合、ユーザーは、前記長押し時間が経過するまで電源スイッチ８ｃを操作し続けやすい。
【００８５】
そして、電源スイッチ８ｃが操作される状態が前記長押し時間以上継続すると、スイッチ中継回路６の作用によってＰＭＩＣ５３が再起動する。これにより、ＰＭＩＣ５３が正常な状態へ復旧すると、ＰＭＩＣ５３は、複数の二次電源回路５２を前記停止状態または前記待機状態から前記起動状態へ移行させる。その結果、画像形成装置１０が正常に起動する。
【００８６】
本実施形態によれば、簡易な構成により、フリーズ状態になったＰＭＩＣ５３を再起動可能な電源装置５を実現することができる。
【符号の説明】
【００８７】
３          ：シート搬送機構
４          ：印刷処理装置
５          ：電源装置
５ａ        ：電源基板
５ｂ        ：制御基板
６          ：スイッチ中継回路
８ａ        ：操作装置
８ｂ        ：表示装置
８ｃ        ：電源スイッチ（手動スイッチ）
９          ：シート
１０        ：画像形成装置
３０        ：シート送出機構
３１        ：搬送ローラー対
４０        ：光走査ユニット
４１        ：感光体
４２        ：帯電装置
４３        ：現像装置
４４        ：トナー補給ユニット
４５        ：転写装置
４６        ：クリーニング装置
４７        ：定着装置
５１        ：一次電源回路
５１ａ      ：出力スイッチ回路
５２        ：二次電源回路
５４        ：スイッチ入力回路
５５        ：ＣＰＵ（プロセッサー）
５６        ：ＲＡＭ
５７        ：二次記憶装置
９０        ：トナー
１００      ：本体
１０１      ：シート収容部
３００      ：シート搬送路
４００      ：モーター
１０００    ：外部電源
Ｃ０        ：コンデンサー
ＣＭ０      ：コンパレーター
Ｄ０        ：ダイオード
Ｌ０        ：スイッチ信号ライン
Ｌ１        ：第１給電ライン
Ｌ２        ：第２給電ライン
Ｌ３        ：第３給電ライン
Ｒ０〜Ｒ６  ：抵抗素子
Ｓｇ０      ：電源制御信号
Ｓｇ１      ：手動スイッチ信号
Ｓｇ３      ：出力制御信号
ＶＣ０      ：端子電圧
ＶＤ１１    ：第１中間電圧（第１直流電力）
ＶＤ１２    ：第２中間電圧（第２直流電力）
ＶＤ１２０  ：参照電圧
ＶＤ２      ：出力電圧
Ｖａ０      ：入力電圧
【図１】
2019109625.tif 000003
【図２】
2019109625.tif 000004
【図３】
2019109625.tif 000005
【図４】
2019109625.tif 000006